(57)【要約】【課題】バーナに点火させるときに、バーナの火力が点火に適したものに調節されていることを、使用者が容易に認識することが可能となる。【解決手段】点火操作具１１を押し込む点火操作により、点火装置を作動させ、点火操作の解除により、ガス流路７への燃料ガスの供給を維持させて点火操作具１１を中間位置Ｂに位置保持させ、点火操作具１１を押し込む消火操作により、点火操作具１１の中間位置Ｂへの位置保持を解除させ、消火操作の解除により、ガス流路７への燃料ガスの供給を停止させるプッシュプッシュ機構１３を備え、消火操作による点火操作具１１の押し込み移動に連動して、弁体２１を強火側から中火位置にまで操作させ、かつ、点火操作による点火操作具１１の押し込み移動に連動して、弁体２１を弱火側から中火位置にまで操作させる弁体操作手段Ｔが設けられている。【選択図】　　　　図１
2004003688.tif 000002
【特許請求の範囲】
【請求項１】
バーナに連通可能なガス流路を備えた器具栓本体と、前記バーナの火力を強火と弱火との間で変更調節するべく前記ガス流路の開口度を変更して燃料ガスの通流量を調整する弁体と、その弁体を操作して前記バーナの火力を変更調節する火力調節レバーとが設けられ、
点火操作具を消火位置から点火用押し込み位置まで押し込む点火操作により、前記ガス流路への燃料ガスの供給を開始させて点火装置を作動させ、その点火操作の解除により、前記ガス流路への燃料ガスの供給を維持させて前記点火操作具を前記消火位置と前記点火用押し込み位置との間の中間位置に位置保持させ、
前記点火操作具を前記中間位置から消火用押し込み位置まで押し込む消火操作により、前記点火操作具の前記中間位置への位置保持を解除させ、その消火操作の解除により、前記ガス流路への燃料ガスの供給を停止させて前記点火操作具を前記消火位置に復帰させるプッシュプッシュ機構を備えたガス量調節装置であって、
前記消火操作による前記点火操作具の押し込み移動に連動して、前記弁体を強火側から強火と弱火との間の中火位置にまで操作させ、かつ、前記点火操作による前記点火操作具の押し込み移動に連動して、前記弁体を弱火側から前記中火位置にまで操作させる弁体操作手段が設けられているガス量調節装置。
【請求項２】
前記弁体操作手段が、前記消火操作による前記点火操作具の押し込み移動に連動して、前記弁体を弱火側から前記中火位置よりも弱火側の中火手前位置にまで操作させるように構成されている請求項１に記載のガス量調節装置。
【請求項３】
前記弁体操作手段が、前記点火操作具が前記消火位置に位置する消火状態において、前記火力調節レバーによる前記弁体の強火側への操作を阻止するように構成されている請求項１または２に記載のガス量調節装置。
【請求項４】
前記弁体操作手段が、前記点火操作具が前記消火位置に位置する消火状態において、前記火力調節レバーによる前記弁体の弱火側への操作を許容するように構成されている請求項１〜３のいずれか１項に記載のガス量調節装置。
【請求項５】
バーナに連通可能なガス流路を備えた器具栓本体と、前記バーナの火力を強火と弱火との間で変更調節するべく前記ガス流路の開口度を変更して燃料ガスの通流量を調整する弁体と、その弁体を操作して前記バーナの火力を変更調節する火力調節レバーとが設けられ、
点火操作具を消火位置から点火用押し込み位置まで押し込む点火操作により、前記ガス流路への燃料ガスの供給を開始させて点火装置を作動させ、その点火操作の解除により、前記ガス流路への燃料ガスの供給を維持させて前記点火操作具を前記消火位置と前記点火用押し込み位置との間の中間位置に位置保持させ、
前記点火操作具を前記中間位置から消火用押し込み位置まで押し込む消火操作により、前記点火操作具の前記中間位置への位置保持を解除させ、その消火操作の解除により、前記ガス流路への燃料ガスの供給を停止させて前記点火操作具を前記消火位置に復帰させるプッシュプッシュ機構を備えたガス量調節装置であって、
前記消火操作による前記点火操作具の押し込み移動に連動して、前記弁体を強火と弱火との間の中火位置側における点火許容範囲内に操作させる弁体操作手段が設けられているガス量調節装置。
【請求項６】
前記弁体操作手段が、前記点火操作具が前記消火位置に位置する消火状態において、前記弁体を前記点火許容範囲内に保持させるように構成されている請求項５に記載のガス量調節装置。
【請求項７】
前記弁体操作手段が、前記弁体が前記点火許容範囲外にあるときに、前記点火操作による前記点火操作具の押し込み移動に連動して、前記弁体を前記点火許容範囲内に操作させるように構成されている請求項５に記載のガス量調節装置。
【請求項８】
前記弁体操作手段が、前記器具栓本体に移動可能に取り付けられて、前記点火操作による前記点火操作具の押し込み移動に連動して点火設定位置にまで移動し、かつ、前記消火操作による前記点火操作具の押し込み移動に連動して消火設定位置にまで移動するひとつの位置設定部材を備え、
その位置設定部材に、前記弁体が強火側にあるときに前記弁体から延設された被押圧部に作用する強火側押圧面と、前記弁体が弱火側にあるときに前記被押圧部に作用する弱火側押圧面とが設けられ、
前記消火操作および前記点火操作による前記点火操作部の押し込み移動に連動して、前記位置設定部材の前記点火設定位置および前記消火設定位置への移動に伴う前記強火側押圧面および前記弱火側押圧面の作用により、前記弁体を操作させるように構成されている請求項１〜７のいずれか１項に記載のガス量調節装置。
【請求項９】
前記位置設定部材が前記器具栓本体に回動可能に取り付けられている請求項８に記載のガス量調節装置。
【請求項１０】
前記火力調節レバーが、前記位置設定部材と同じ回動軸芯周りに前記器具栓本体に回動可能に取り付けられている請求項９に記載のガス量調節装置。
【請求項１１】
前記弁体が前記器具栓本体に対して摺動可能に取り付けられ、その弁体の摺動により前記ガス流路の開口度を変更するように構成され、かつ、前記火力調節レバーに設けられたカム手段に前記被押圧部を係合し、前記火力調節レバーの回動に伴う前記カム手段の作用により前記弁体を摺動させるように構成されている請求項１０に記載のガス量調節装置。
【発明の詳細な説明】
【０００１】
【発明の属する技術分野】
本発明は、バーナに連通可能なガス流路を備えた器具栓本体と、前記バーナの火力を強火と弱火との間で変更調節するべく前記ガス流路の開口度を変更して燃料ガスの通流量を調整する弁体と、その弁体を操作して前記バーナの火力を変更調節する火力調節レバーとが設けられ、
点火操作具を消火位置から点火用押し込み位置まで押し込む点火操作により、前記ガス流路への燃料ガスの供給を開始させて点火装置を作動させ、その点火操作の解除により、前記ガス流路への燃料ガスの供給を維持させて前記点火操作具を前記消火位置と前記点火用押し込み位置との間の中間位置に位置保持させ、
前記点火操作具を前記中間位置から消火用押し込み位置まで押し込む消火操作により、前記点火操作具の前記中間位置への位置保持を解除させ、その消火操作の解除により、前記ガス流路への燃料ガスの供給を停止させて前記点火操作具を前記消火位置に復帰させるプッシュプッシュ機構を備えたガス量調節装置に関する。
【０００２】
【従来の技術】
上記のようなガス量調節装置は、ガスコンロやガスグリルなどの各種のガス器具に適応され、点火操作のための点火操作具の押し込み移動、つまり点火操作具を消火位置から点火用押し込み位置に押し込み移動させることにより、バーナに点火し、また、消火操作のための点火操作具の押し込み移動、つまり点火操作具を中間位置から消火用押し込み位置に押し込み移動させることにより、バーナの燃焼を停止させるものである。
ところで、点火装置を作動させてバーナに点火する際に、バーナに供給される燃料ガスの量が多いと、必要以上に勢い良く着火することになって、使用者に不快感を与える虞があり、逆に、燃料ガスの量が少ないと、確実な点火を行うことができない虞があることから、バーナに点火する際には、バーナの火力を点火に適した火力に調整すること、つまり、バーナへの燃料ガスの供給量を点火に適した量となるようにする必要がある。
【０００３】
このため、例えば、特開平１０―２５５６号公報に示されているように、点火操作として、点火操作具を消火位置から点火用押し込み位置に押し込み移動させることに連動して、弁体を強火と弱火の間の中火位置に操作する弁体操作手段を設けて、バーナに点火する際に、弁体が強火側にあっても、弱火側にあっても、点火操作のために点火操作具を消火位置から点火用押し込み位置に押し込み移動させると、バーナの火力を点火に適した中火に強制的に調節するようにすることが行われている。
上記弁体操作手段について説明を加えると、点火操作具を点火用押し込み位置に移動させることに連動して、点火設定位置に移動される位置設定部材が設けられ、この位置設定部材に、弁体が強火側にあるときに弁体から延設した操作ピンを中火側に押圧作用する強火側押圧面、および、弁体が弱火側にあるときに前記操作ピンを中火側に押圧作用する弱火側押圧面が設けられて、点火操作のために、点火操作具を消火位置から点火用押し込み位置に押し込み移動させると、その押し込み移動に連動して点火設定位置に移動される位置設定部材が、強火側押圧面および弱火側押圧面にて弁体の操作ピンを中火側に押圧移動させることによって、弁体を中火位置に操作して、バーナの火力を中火位置に調節するように構成されている。
【発明が解決しようとする課題】
上記従来のガス量調節装置は、点火操作のための点火操作具の押し込み移動に連動して、バーナの火力を点火に適した中火に調節するものであるから、換言すると、消火前のバーナの火力が点火のときに中火に調節されるものであるから、使用者は、点火のときの火力調節レバーの動きをみて、消火前の火力が変更されることを認識して、点火のあとで、必要に応じて所望の火力に調節することになるが、点火のときの火力調節レバーの動きを見落として、消火前の火力にて点火されているものであると勘違いする虞があった。
【０００４】
説明を加えると、消火操作のときには、火力調節レバーは消火前の状態に維持されるから、そのように火力調節レバーが維持されることの認識により、その後も消火前の火力が維持され続けて点火されるものであると、使用者が誤った判断を行って、点火のときも消火前の火力にて点火されているものであると勘違いする虞があった。ちなみに、このような勘違いは、使用に伴って改められるものであるが、不慣れな使用者は、消火前の火力にて点火されているものであると勘違いして、点火あとでの火力の調節を怠る虞があった。
ところで、火力調節レバーの中火位置は、一般に、最弱火位置よりも最強火位置側に偏った位置であり、このため、消火前の火力が中火位置よりも強火側にあるときのほうが、消火前の火力が中火位置よりも弱火側にあるときよりも、火力調節レバーの動き量が小さなものとなるため、火力調節レバーの動きを見落とし易い傾向にあった。
【０００５】
本発明は、かかる点に着目してなされたものであり、その目的は、バーナに点火する際に、バーナの火力を点火に適した火力としながら、バーナに点火させるときに、バーナの火力が点火に適した火力に調節されることを、使用者が容易に認識することができるガス量調節装置を提供できる点にある。
【０００６】
【課題を解決するための手段】
この目的を達成するために、請求項１に記載の発明によれば、バーナに連通可能なガス流路を備えた器具栓本体と、前記バーナの火力を強火と弱火との間で変更調節するべく前記ガス流路の開口度を変更して燃料ガスの通流量を調整する弁体と、その弁体を操作して前記バーナの火力を変更調節する火力調節レバーとが設けられ、
点火操作具を消火位置から点火用押し込み位置まで押し込む点火操作により、前記ガス流路への燃料ガスの供給を開始させて点火装置を作動させ、その点火操作の解除により、前記ガス流路への燃料ガスの供給を維持させて前記点火操作具を前記消火位置と前記点火用押し込み位置との間の中間位置に位置保持させ、
前記点火操作具を前記中間位置から消火用押し込み位置まで押し込む消火操作により、前記ガス流路への燃料ガスの供給を停止させ、その消火操作の解除により、前記点火操作具を前記消火位置に復帰させるプッシュプッシュ機構を備えたガス量調節装置において、
前記消火操作による前記点火操作具の押し込み移動に連動して、前記弁体を強火側から強火と弱火との間の中火位置にまで操作させ、かつ、前記点火操作による前記点火操作具の押し込み移動に連動して、前記弁体を弱火側から前記中火位置にまで操作させる弁体操作手段が設けられている。
【０００７】
すなわち、バーナを消火させるときに、弁体が最大強火など強火側にあると、弁体操作手段が、消火操作による点火操作具の押し込み移動に連動して、弁体を強火側から中火位置にまで操作させ、バーナに点火させるときに、弁体が最小弱火など弱火側にあると、弁体操作手段が、点火操作による点火操作部の押し込み移動に連動して、弁体を弱火側から中火位置にまで操作させることになる。
つまり、消火を行うときには、弁体を強火側から中火位置にまで操作させるに伴って、火力調節レバーも強火側から中火位置にまで操作させることによって、消火操作の時点で、バーナに点火させるときにバーナの火力が点火に適した火力に調節されることを使用者に認識させることができ、点火を行うときには、弁体を弱火側から中火位置にまで操作させるに伴って、火力調節レバーも弱火側から中火位置にまで操作させることによって、点火操作の時点に、バーナに点火させるときにバーナの火力が点火に適した火力に調節されることを使用者に再認識させることも可能となる。
したがって、結果的に、消火のときのみならず、点火のときにも、バーナに点火させるときにバーナの火力が点火に適した火力に調節されることを使用者に認識させることができるものとなる。
そして、消火を行うときに弁体および火力調節レバーが強火側にある場合には、点火を行うときには弁体および火力調節レバーの操作が無いものとなるが、消火のときに弁体および火力調節レバーを中火位置に予め操作しておくことにより、点火の際にバーナの火力が強火側で誤った点火が行われる不都合を適切に抑制することができる。
以上のことから、点火のときにバーナの火力が強火側で誤った点火が行われるのを回避しながらも、消火操作の時点および点火操作の時点での弁体および火力調節レバーの操作により、バーナに点火させるときにバーナの火力が点火に適した火力に調節されることを使用者に認識させることが可能となる。
【０００８】
したがって、請求項１に記載の発明によれば、バーナに点火する際に、バーナの火力を点火に適した火力としながら、バーナに点火させるときに、バーナの火力が点火に適した火力に調節されることを、使用者が容易に認識することができるガス量調節装置を提供できるに至った。
【０００９】
請求項２に記載の発明によれば、前記弁体操作手段が、前記消火操作による前記点火操作具の押し込み移動に連動して、前記弁体を弱火側から前記中火位置よりも弱火側の中火手前位置にまで操作させるように構成されている。
【００１０】
すなわち、バーナを消火させるときに、弁体が中火手前位置と最小弱火との間に操作されている場合には、弁体操作手段が、消火操作による点火操作具の押し込み移動に連動して、弁体を弱火側から中火手前位置にまで操作させることになる。
そして、請求項１に記載の如く、弁体操作手段が、消火操作による点火操作具の押し込み移動に連動して、弁体を強火側から中火位置にまで操作させる構成であるので、この構成との協働作用により、消火を行うときに、弁体が中火位置と中火手前位置との間に火力が操作されているとき以外は、消火操作により、強火側から中火位置へ弁体および火力調節レバーを操作させ、および、弱火側から中火手前位置へ弁体および火力調節レバーを操作させることができることになる。したがって、消火操作の時点で、バーナに点火させるときにバーナの火力が点火に適した火力に調節されることを、より分かり易い状態で使用者に認識させることが可能となる。
【００１１】
請求項３に記載の発明によれば、前記弁体操作手段が、前記点火操作具が前記消火位置に位置する消火状態において、前記火力調節レバーによる前記弁体の強火側への操作を阻止するように構成されている。
【００１２】
すなわち、消火状態において、使用者が火力調節レバーを操作することにより、弁体を強火側に操作しようとしても、弁体操作手段が、火力調節レバーによる弁体の強火側への操作を阻止することにより、消火状態にバーナの火力が強火側に調節されることを阻止できることになる。
したがって、点火の際にバーナの火力が強火側に調節されていることを阻止することにより、点火の際に強火側で誤った点火が行われることを的確に阻止することが可能となる。
【００１３】
請求項４に記載の発明によれば、前記弁体操作手段が、前記点火操作具が前記消火位置に位置する消火状態において、前記火力調節レバーによる前記弁体の弱火側への操作を許容するように構成されている。
【００１４】
すなわち、消火状態において、使用者が火力調節レバーを操作することにより、弁体を弱火側に操作すると、弁体操作手段が、火力調節レバーによる弁体の弱火側への操作を許容して、最弱火など弱火側に調節されることになる。
そして、請求項１に記載の如く、弁体操作手段が、点火操作による点火操作具の押し込み移動に連動して、弁体を弱火側から中火位置にまで操作させる構成であるので、この構成を利用することによって、消火状態において、火力調節レバーによる弁体の弱火側への操作を許容することにより、弁体操作手段の構成を簡素なものとしながら、消火状態において、火力調節レバーによる弁体の弱火側への操作を許容しても、点火操作の時点で、弁体を弱火側から中火位置にまで操作させて、バーナに点火させるときにバーナの火力を点火に適した火力に調節させることができることになる。
したがって、請求項１に記載の構成を利用することにより、弁体操作手段の構成を簡素なものとしながら、バーナに点火させるときにバーナの火力を点火に適した火力に調節させ、点火の際に弱火側で誤った点火が行われる不都合を抑制することが可能となる。
【００１５】
請求項５に記載の発明によれば、バーナに連通可能なガス流路を備えた器具栓本体と、前記バーナの火力を強火と弱火との間で変更調節するべく前記ガス流路の開口度を変更して燃料ガスの通流量を調整する弁体と、その弁体を操作して前記バーナの火力を変更調節する火力調節レバーとが設けられ、
点火操作具を消火位置から点火用押し込み位置まで押し込む点火操作により、前記ガス流路への燃料ガスの供給を開始させて点火装置を作動させ、その点火操作の解除により、前記ガス流路への燃料ガスの供給を維持させて前記点火操作具を前記消火位置と前記点火用押し込み位置との間の中間位置に位置保持させ、
前記点火操作具を前記中間位置から消火用押し込み位置まで押し込む消火操作により、前記ガス流路への燃料ガスの供給を停止させ、その消火操作の解除により、前記点火操作具を前記消火位置に復帰させるプッシュプッシュ機構を備えたガス量調節装置において、
前記消火操作による前記点火操作具の押し込み移動に連動して、前記弁体を強火と弱火との間の中火位置側における点火許容範囲内に操作させる弁体操作手段が設けられている。
【００１６】
すなわち、弁体が最大強火など点火許容範囲外の強火側にあるときには、弁体操作手段にて、消火操作による点火操作具の押し込み移動に連動して、弁体を点火に適した点火許容範囲内に操作させ、火力調節レバーも点火許容範囲内に操作させることになる。
また、弁体が最小弱火など点火許容範囲外の弱火側にあるときには、弁体操作手段にて、消火操作による点火操作具の押し込み移動に連動して、弁体を点火に適した点火許容範囲内に操作させ、火力調節レバーも点火許容範囲内に操作させることになる。
ちなみに、点火許容範囲は、バーナに点火させるときに、必要以上に勢いよく着火することを防止し、かつ、確実な点火を行うことが可能となる範囲として設定されている。
【００１７】
したがって、弁体が点火許容範囲よりも強火側にあっても、弱火側にあっても、弁体操作手段の作用により、消火操作の時点で、弁体を点火に適した点火許容範囲内に操作させるに伴って、火力調節レバーも点火許容範囲内に操作させることによって、消火操作の時点で、バーナに点火させるときにバーナの火力が点火に適した火力に調節されることを使用者に認識させることができるものとなり、しかも、消火操作により弁体を点火許容範囲内に操作させた状態で、点火操作を行うことによって、バーナの火力を点火に適した点火許容範囲内に調節した状態でバーナに点火させることができるものとなる。
そして、消火操作の時点で、弁体が点火許容範囲内に操作させているときには、弁体操作手段が、弁体を操作させず、その弁体の位置を維持することにより、消火を行うときに、点火許容範囲内で調整されたバーナの火力を維持して、その火力にて点火を行うことができるものとなる。
以上のことから、点火のときにバーナの火力が最大強火や最小強火など点火許容範囲外で誤った点火が行われるのを回避しながらも、消火操作の時点での弁体および火力調節レバーの操作により、バーナに点火させるときにバーナの火力が点火に適した火力に調節されることを使用者に認識させることが可能となり、しかも、消火操作のときに点火許容範囲内で調整されたバーナの火力にて点火することも可能となる。
【００１８】
したがって、請求項５に記載の発明によれば、バーナに点火する際に、バーナへの燃料ガスの供給量を点火に適した量としながら、バーナに点火させるときに、バーナの火力が点火に適したものに調節されていることを、使用者が容易に認識することが可能となるガス量調節装置を提供できるに至った。
【００１９】
請求項６に記載の発明によれば、前記弁体操作手段が、前記点火操作具が前記消火位置に位置する消火状態において、前記弁体を前記点火許容範囲内に保持させるように構成されている。
【００２０】
すなわち、消火状態において、使用者が火力調節レバーを操作することにより、弁体を点火許容範囲外に操作しようとしても、弁体操作手段が、弁体を点火許容範囲内に保持させることにより、消火状態にバーナの火力が点火許容範囲外に調節されることを阻止することができることになる。
そして、消火状態において、使用者が火力調節レバーを操作して、弁体を点火許容範囲内で調節することにより、その調節された火力にて点火を行うことができるものとなる。
したがって、点火のときにバーナの火力が最大強火や最小強火など点火許容範囲外で誤った点火が行われるのを的確に回避しながら、消火状態のときに点火許容範囲内で調整されたバーナの火力にて点火することも可能となる。
【００２１】
請求項７に記載の発明によれば、前記弁体操作手段が、前記弁体が前記点火許容範囲外にあるときに、前記点火操作による前記点火操作具の押し込み移動に連動して、前記弁体を前記点火許容範囲内に操作させるように構成されている。
【００２２】
すなわち、消火状態において、火力調節レバーの調節により弁体が点火許容範囲外に操作されても、弁体操作手段が、点火操作による点火操作具の押し込み移動に連動して、弁体を点火許容範囲内に操作させる構成とすることにより、消火状態のときにバーナの火力が点火許容範囲外に調節されても、点火を行うときに、バーナの火力を点火に適した点火許容範囲内に調節させた状態でバーナに点火させることができることになる。
したがって、点火のときにバーナの火力が最大強火や最小強火など点火許容範囲外で誤った点火が行われるのを的確に回避することが可能となる。
【００２３】
請求項８に記載の発明によれば、前記弁体操作手段が、前記器具栓本体に移動可能に取り付けられて、前記点火操作による前記点火操作具の押し込み移動に連動して点火設定位置にまで移動し、かつ、前記消火操作による前記点火操作具の押し込み移動に連動して消火設定位置にまで移動するひとつの位置設定部材を備え、
その位置設定部材に、前記弁体が強火側にあるときに前記弁体から延設された被押圧部に作用する強火側押圧面と、前記弁体が弱火側にあるときに前記被押圧部に作用する弱火側押圧面とが設けられ、
前記消火操作および前記点火操作による前記点火操作部の押し込み移動に連動して、前記位置設定部材の前記点火設定位置および前記消火設定位置への移動に伴う前記強火側押圧面および前記弱火側押圧面の作用により、前記弁体を操作させるように構成されている。
【００２４】
すなわち、ひとつの位置設定部材の移動によって、弁体が強火側にあっても、弱火側にあっても、その弁体を中火位置、中火手前位置、および、点火許容範囲内に操作させることが可能となるので、部品点数の減少と構造の簡素化により製造コストの低減を図ることが可能となる。
そして、弁体の中火位置、中火手前位置、および、点火許容範囲内への操作は、位置設定部材に設けた強火側押圧面や弱火側押圧面を弁体から延設の被押圧部に対して直接作用させることが可能となるので、弁体の中火位置、中火手前位置、および、点火許容範囲内への操作を的確に行うことが可能となる。
【００２５】
請求項９に記載の発明によれば、前記位置設定部材が前記器具栓本体に回動可能に取り付けられている。
すなわち、例えば、位置設定部材を器具栓本体に摺動可能に取り付けるものに比べて、位置設定部材の移動が円滑で取り付け構造もより簡単となり、その位置設定部材の回動によって、弁体の中火位置、中火手前位置、および、点火許容範囲内への操作を行うことが可能となる。
【００２６】
請求項１０に記載の発明によれば、前記火力調節レバーが、前記位置設定部材と同じ回動軸芯周りに前記器具栓本体に回動可能に取り付けられている。
すなわち、同じように回動する火力調節レバーと位置設定部材とを近接配置させることが可能となるので、火力調節レバーと位置設定部材とをコンパクトにまとめて器具栓本体に取り付けることが可能となり、しかも、火力調節レバーと位置設定部材とを回動可能に取り付けるための構成などを共用化することが可能となる。
【００２７】
請求項１１に記載の発明によれば、前記弁体が前記器具栓本体に対して摺動可能に取り付けられ、その弁体の摺動により前記ガス流路の開口度を変更するように構成され、かつ、前記火力調節レバーに設けられたカム手段に前記被押圧部を係合し、前記火力調節レバーの回動に伴う前記カム手段の作用により前記弁体を摺動させるように構成されている。
【００２８】
すなわち、弁体から延設の被押圧部に対して、位置設定部材に加えて、火力調節レバーのカム手段を作用させることが可能となるので、被押圧部の共用による構造の簡素化を図ることが可能となり、しかも、請求項１０との協働作用により、火力調節レバー、位置設定部材、および、弁体とを近接配置させることが可能となり、これらを器具栓本体に対してコンパクトに組み付けることが可能となる。
【００２９】
【発明の実施の形態】
本発明にかかるガス量調節装置をガスコンロに適応した例を図面に基づいて説明する。
〔第１実施形態〕
このガスコンロは、図１および図２に示すように、ガスコンロ前面のパネル１の近くには、器具栓本体２が内装され、この器具栓本体２に開口の導入口３から供給される燃料ガスを導出口４に固着のノズル５からバーナ６へ供給するように構成されている。
前記器具栓本体２は、複数の鋳造部品からなり、それぞれの間にパッキンを介装し、ボルトにより固着されて組み立てられていて、この組み立てた状態において、前記導入口３が、ガス流路７を介して導出口４に連通接続されている。
【００３０】
前記器具栓本体２の後端側には、ガス流路７を開閉する電磁式の安全弁９が内装され、前端側には、合成樹脂製の固定枠１０が固着されていて、この固定枠１０に対して点火操作具の一例である合成樹脂製のスライダ１１が摺動自在に内嵌されている。このスライダ１１には、金属製のバルブロッド１２が固着されて前記安全弁９側に延出され、このバルブロッド１２には、前記ガス流路７を開閉するための弁体１４が設けられている。
前記スライダ１１と固定枠１０との間には、第１コイルスプリング１５が、前記弁体１４と器具栓本体２との間には、第２コイルスプリング１６がそれぞれ介装され、これら両コイルスプリング１５，１６によって、スライダ１１が器具栓本体２の前端側に弾性付勢されている。
【００３１】
前記スライダ１１の下面には、ほぼハート型のカム溝８を備えたハートカム部材１７が取り付けられ、固定枠１０に回動自在に保持されたＵ字状のピン１８の遊端部が、固定枠１０を貫通してハートカム部材１７のカム溝８に係合している。
前記カム溝８は、図５および図６に示すように、第１溝部８ａ、第２溝部８ｂ、第３溝部８ｃ、および、第４溝部８ｄをほぼハート型に連通して形成され、第１溝部８ａの器具栓本体２の前端側（図５および図６中右側）の前端部は第２溝部８ｂよりも浅く、第３溝部８ｃは第４溝部８ｄの器具栓本体２の前端側（図５および図６中右側）の前端部よりも浅く、第４溝部８ｄの器具栓本体２の後端側（図５および図６中左側）の後端部は第１溝部８ａよりも浅くなるようにしている。
【００３２】
また、固定枠１０の一側部には、図外の点火装置用の固定接点や安全装置用の固定接点などを備えた接点板ブロックが取り付けられ、スライダ１１の摺動に伴って、スライダ１１側に取り付けた可動接点が各固定接点を接触状態と非接触状態とに切り換えるように構成されている。
説明を加えると、スライダ１１が後述する消火位置Ａにあるときは、点火装置用の固定接点も安全装置用の固定接点も非接触状態に維持され、かつ、弁体１４によってガス流路７が閉じられるとともに、安全弁９も弾性的に閉弁されている。
【００３３】
そして、両コイルスプリング１５，１６、ハートカム部材１７、および、ピン１８などからプッシュプッシュ機構１３が構成されている。
このプッシュプッシュ機構１３は、図１に示すように、スライダ１１を消火位置Ａから点火用押し込み位置Ｄまで押し込む点火操作により、ガス流路７への燃料ガスの供給を開始させて点火装置を作動させ、その点火操作の解除により、ガス流路７への燃料ガスの供給を維持させてスライダ１１を消火位置Ａと点火用押し込み位置Ｄとの間の中間位置Ｂに位置保持させ、スライダ１１を中間位置Ｂから消火用押し込み位置Ｃまで押し込む消火操作により、スライダ１１の中間位置Ｂへの位置保持を解除させ、その消火操作の解除により、ガス流路７への燃料ガスの供給を停止させてスライダ１１を消火位置Ａに復帰させるように構成されている。
【００３４】
説明を加えると、プッシュプッシュ機構１３は、パネル１に回動自在に取り付けた操作釦１９を押圧操作すると、両コイルスプリング１５，１６、ハートカム部材１７、および、ピン１８などの協働作用により、図５に示すように、器具栓本体２の前後方向に、スライダ１１を、消火位置Ａ→点火用押し込み位置Ｄ→中間位置Ｂ→消火用押し込み位置Ｃ→消火位置Ａへ戻るように順次摺動移動させるとともに、図６に示すように、カム溝８に沿って、ピン１８を、消火相当位置ａ→点火用押し込み相当位置ｄ→中間相当位置ｂ→消火用押し込み相当位置ｃ→消火相当位置ａに戻るように順次案内させることによって、操作釦１９の押圧操作のみでバーナ６への点火および消火を行うようにしている。
【００３５】
前記プッシュプッシュ機構１３による動作について具体的に説明すると、ハートカム部材１７とピン１８との協働作用により、ピン１８は第１溝部８ａの後端部の消火相当位置ａに保持され、両コイルスプリング１５，１６によって弾性付勢されたスライダ１１は、通常、消火位置Ａに位置保持されている。
【００３６】
そして、スライダ１１が消火位置Ａに保持されている状態で、点火操作により、操作釦１９を押圧操作すると、スライダ１１が消火位置Ａから両コイルスプリング１５，１６の弾性力に抗して器具栓本体２の後端側へ摺動し、ピン１８が第１溝部８ａの後端部である消火相当位置ａから第１溝部８ａに沿って移動し、スライダ１１を点火用押し込み位置Ｄに押し込むと、第１溝部８ａの前端部から第２溝部８ｂに移動して点火用押し込み相当位置ｄに至る。
このスライダ１１が消火位置Ａから点火用押し込み位置Ｄに押し込み移動される際に、弁体１４がガス流路７を開き、安全装置用の固定接点が接触状態に切り換えられ、かつ、バルブロッド１２の先端が安全弁９を押圧して開弁され、その後、点火装置用の固定接点が接触状態に切り換えられ、図外の点火装置によってバーナ６に点火される。
【００３７】
前記バーナ６に点火した後、操作釦１９に対する押圧力を解除され、点火操作が解除されると、スライダ１１が弾性復帰するので、ピン１８が第２溝部８ｂに沿って移動したのち、第２溝部８ｂの後端部から第３溝部８ｃに移動し、第３溝部８ｃのく字状に窪んだ中間相当位置ｂに位置保持されて、スライダ１１が中間位置Ｂに位置保持され、点火装置用の固定接点が非接触状態に切り換えられる。
その際、弁体１４はガス流路７を開いたままであり、安全弁９はバーナ６の燃焼による図外サーモカップルの熱起電力により開弁状態に維持されるので、バーナ６の燃焼が続行される。
この中間位置Ｂにおいても、安全装置用の固定接点は接触状態を維持しているので、バーナ６が不測に消火したような場合には、サーモカップルの熱起電力の低下により、安全弁９が自動的に閉弁して、燃焼ガスの漏れを防止する。
【００３８】
そして、消火操作により、操作釦１９を押圧操作すると、スライダ１１が中間位置Ｂから両コイルスプリング１５，１６の弾性力に抗して器具栓本体２の後端側へ摺動し、ピン１８が第３溝部８ｃに沿って移動して、スライダ１１を消火用押し込み位置Ｃまで押し込むと、ピン１８が第３溝部８ｃから第４溝部８ｄの前端部の消火用押し込み相当位置ｃに移動して、スライダ１１の中間位置Ｂへの位置保持が解除される。
【００３９】
そのスライダ１１の中間位置Ｂへの位置保持が解除された後、操作釦１９に対する押圧力を解除され、消火操作が解除されると、ピン１８が第４溝部８ｄに沿って移動したのち、第４溝部８ｄの後端部から第１溝部８ａに移動して、第１溝部８ａの後端部の消火相当位置ａに移動し、スライダ１１が元の消火位置Ａに自動復帰し、その自動復帰の際に、弁体１４がガス流路７を閉じる。
【００４０】
前記器具栓本体２には、図１および図３に示すように、前端部に開口してガス流路７にまで至る挿通孔２０が穿設され、この挿通孔２０内に弁体としての金属製のニードル２１が挿入されている。
このニードル２１は、挿通孔２０に対して摺動自在に挿入されていて、ニードル２１を摺動させることにより、ニードル２１の先端が、ガス流路７と導出口４とを連通する弁孔２２の開口度を変更して、バーナ６への燃料ガスの通流量を調節するように構成されている。
また、ニードル２１の先端には、最小絞り量を設定するノズル孔２３がニードル２１の軸芯方向に沿って穿設され、かつ、ニードル２１の中間部には別部材からなる被押圧部としての金属製の操作ピン２５が挿入固着されている。
【００４１】
この操作ピン２５は、器具栓本体２の上面からニードル２１挿入用の挿通孔２０にまで至るスリット２６内に位置され、かつ、このスリット２６は、挿通孔２０の軸芯と平行で、挿通孔２０と同様に器具栓本体２の前端部に開口し、操作ピン２５の上端がスリット２６から上方へ突出するように構成されている。
このスリット２６から突出する操作ピン２５の上端には、図３にも示すように、器具栓本体２に回動可能に支持された火力調節レバー２７が係合し、この火力調節レバー２７の回動操作によってバーナ６の火力を強火と弱火との間で変更調節できるように構成されている。
【００４２】
前記火力調節レバー２７は、金属製の１枚の板状体から折曲形成されていて、図４に示すように、一端に取り付け孔２９が穿設され、他端部がレバー部３０に構成されるとともに、操作ピン２５の上端が挿入係合するカム手段としてのカム孔３１が穿設されている。
このカム孔３１は、取り付け孔２９と異なる位置を中心とする円弧状のカム孔３１ａと、この円弧状のカム孔３１ａに連通する直線状の抜き差し孔３１ｂとからなり、抜き差し孔３１ｂの他端が前記レバー部３０側で開口している。
【００４３】
このような構成の火力調節レバー２７が、図１および図２に示すように、器具栓本体２の上面に突出の円柱状段部２ａの上段に取り付け孔２９を外嵌した状態で器具栓本体２に螺合のボルト３２によって回動可能に保持されるとともに、レバー部３０がパネル１を貫通して操作釦１９上方のコンロ前面に突出されて水平方向に回動操作可能に構成されている。
したがって、レバー部３０を、図２に示す強火方向に回動すると、円弧状のカム孔３１ａに係合する操作ピン２５が器具栓本体２の前端側に強制移動され、それに伴ってニードル２１も摺動してニードル２１の先端が弁孔２２の開口度を大にするのであり、逆に弱火方向に回動すると、操作ピン２５が器具栓本体２の後端側に強制移動され、ニードル２１が後端側に摺動して、弁孔２２の開口度を小にしてガス量の調節を可能にするのである。
ちなみに、火力調節レバー２７の中火位置は、図２に示すように、最弱火位置よりも最強火位置側に偏った位置となっている。
【００４４】
前記操作ピン２５の上端には、同じく器具栓本体２に回動可能に支持された位置設定部材としてのカム部材２８も係合している。
このカム部材２８は金属製の板状体から折曲形成され、図４および図１１に示すように、全体が断面ほぼコの字型で、そのコの字型の上片側には、取り付け孔３３とカム孔３４とが穿設され、下片側の方には、横側方に開口する開口取り付け孔３５が穿設されるとともに、操作片３６が一体形成され、かつ、上片と下片とを連結する中間片には、コイルスプリング用の受け座３７が一体形成されている。
【００４５】
また、カム部材２８が、火力調節レバー２７の下方において、前記円柱状段部２ａの下段に取り付け孔３３を外嵌した状態で、かつ、円柱状段部２ａやボルト３２と同芯状の突起３８に前記開口取り付け孔３５を外嵌した状態で、前記ボルト３２によって回動可能に保持されている。
すなわち、火力調節レバー２７とカム部材２８とは、同一軸芯周りに回動可能に構成され、かつ、カム部材２８は、カム部材２８側の受け座３７と器具栓本体２側の受け座３９との間に介装保持されたコイルスプリング４０により、図２において反時計方向に回動付勢されるとともに、図外のストッパによって所定の位置に弾性的に保持可能に構成されている。
【００４６】
そして、図１および図３に示すように、スライダ１１の上面に一体的に形成された押圧部４１が、そのカム部材２８の操作片３６に当接して、カム部材２８を時計方向に回動し得るように構成され、スライダ１１の摺動移動に伴ってカム部材２８を回動させることによって、カム孔３４に沿って操作ピン２５を操作させてニードル２１および火力調節レバー２７を操作するように構成されている。
【００４７】
前記カム部材２８におけるカム孔３４は、図１１に示すように、外周部の一部が外側に開口された円弧状に形成され、強火側押圧面３４ａ、弱火側押圧面３４ｂ、燃焼用許容空間３４ｃ、消火用許容空間３４ｅ、強火側ストッパー面３４ｄを備えて構成されている。
【００４８】
前記強火側押圧面３４ａは、消火操作において、ニードル２１が強火側にあるときに、器具栓本体２の前端側である強火側に位置する操作ピン２５を器具栓本体２の後端側である弱火側に押圧操作するように構成され、弱火側押圧面３４ｂは、消火操作および点火操作において、ニードル２１が弱火側にあるときに、器具栓本体２の後端前側である弱火側に位置する操作ピン２５を器具栓本体２の前端側である強火側に押圧操作するように構成されている。
なお、強火側押圧面３４ａは、外側に開口された部分に隣接する位置に形成されて、外周部側の円弧状面に連なり外側に広がる湾曲状に構成され、その湾曲状の部分にて操作ピン２５を押圧作用するように構成されている。
【００４９】
前記燃焼用許容空間３４ｃは、外周部が外側に開口され、スライダ１１を中間位置Ｂに保持している状態において、火力調節レバー２７によりニードル２１を最弱火位置から最強火位置まで操作可能となるように、操作ピン２５の最弱火位置から最強火位置までの摺動を許容するように構成されている。
前記消火用許容空間３４ｅは、燃焼用許容空間３４ｃに連通され、強火側ストッパー面３４ｄにて操作ピン２５が中火位置よりも強火側へ摺動するのを阻止することにより、スライダ１１を消火位置Ａに保持している状態において、ニードル２１を最弱火位置から中火位置まで操作可能となるように操作ピン２５の摺動を許容するように構成されている。
【００５０】
ちなみに、カム部材２８の回動軸芯Ｐから操作ピン２５の存在位置までの距離に応じて、ニードル２１の位置が操作され、その距離が大きいほど、火力が強火側に調整されることになる。
そして、カム孔３４は、カム部材２８の回動径方向において、カム部材２８の回動軸芯Ｐから強火側押圧面３４ａにおける操作ピン２５の押圧を完了する位置までの距離Ｄ１と、カム部材２８の回動軸芯Ｐから強火側ストッパー面３４ｄまでの距離Ｄ２が同じになるように形成されている。
【００５１】
そして、上述のようなカム孔３４が形成されたカム部材２８、押圧部４１、操作片３６、および、コイルスプリング４０などから弁体操作手段Ｔが構成されている。
この弁体操作手段Ｔは、消火操作によるスライダ１１の押し込み移動に連動して、ニードル２１を強火側から中火位置にまでおよび弱火側から中火位置よりも弱火側の中火手前位置にまで操作させ、かつ、点火操作によるスライダ１１の押し込み移動に連動して、ニードル２１を弱火側から中火位置にまで操作させるように構成されている。
また、この弁体操作手段Ｔは、スライダ１１が消火位置Ａに位置する消火状態において、火力調節レバー２７によるニードル２１の強火側への操作を阻止するように構成されている。
【００５２】
説明を加えると、バーナ６を燃焼させている状態において、操作釦１９の押圧操作により、スライダ１１を、中間位置Ｂ→消火用押し込み位置Ｃ→消火位置Ａ→点火用押し込み位置Ｄ→中間位置に順次移動させると、弁体操作手段Ｔは、押圧部４１、操作片３６、および、コイルスプリング４０などの協働作用により、図７〜１０、図１３および図１４に示すように、カム部材２８を、燃焼状態設定位置→消火設定位置→消火状態設定位置→点火設定位置→燃焼設定位置に回動させることによって、カム孔３４に沿って操作ピン２５を操作させてニードル２１および火力調節レバー２７を操作させるようにしている。
【００５３】
ちなみに、図７および図９において、（イ）は燃焼状態設定位置、（ロ）は消火設定位置に、カム部材２８が回動された状態を示し、図８および図１０において、（イ）は消火状態設定位置、（ロ）は点火設定位置に、カム部材２８が回動された状態を示している。
また、図１３および図１４において、（イ）は燃焼状態設定位置、（ロ）は消火設定位置、（ハ）は消火状態設定位置、（ニ）は点火設定位置に、カム部材２８が回動された状態を示している。
【００５４】
以下、弁体操作手段Ｔによる動作について説明を加えるが、まず、図１２における白丸で示す強火側について説明し、次に、図１２における黒丸で示す弱火側について説明する。
ちなみに、図１２は、スライダ１１の位置と操作ピン２５の位置との関係を示すものであり、バーナ６が燃焼されている状態において、ニードル２１および火力調節レバー２７が、最強火位置に操作されているときの操作ピン２５の位置を白丸で示し、バーナ６が燃焼されている状態において、ニードル２１および火力調節レバー２７が、最弱火位置に操作されているときの操作ピン２５の位置を黒丸で示しており、図中斜面部分は、操作ピン２５の操作が阻止されている範囲を示している。
【００５５】
前記強火側について説明すると、図７の（イ）および図１３の（イ）に示すように、火力調節レバー２７により、ニードル２１および火力調節レバー２７が中火位置よりも強火側に操作されているときに、消火操作により、スライダ１１を中間位置Ｂから消火用押し込み位置Ｃにまで押し込み移動させると、押圧部材４１が操作片３６を押圧操作し、カム部材２８を燃焼状態設定位置から時計方向に回動させて、図７の（ロ）および図１３の（ロ）に示すように、カム部材２８を消火設定位置に回動させる。
このカム部材２８の燃焼状態設定位置から消火設定位置への回動に伴って、強火側押圧面３４ａが器具栓本体２の前端側に位置する操作ピン２５を後端側に強制移動させ、操作ピン２５を中火位置にまで操作させて、ニードル２１を強火側から中火位置にまで操作させるとともに、火力調節レバー１７も強火側から中火位置にまで操作させる。
【００５６】
そして、消火操作が解除されると、スライダ１１の消火位置Ａへの復帰に伴って、コイルスプリング４０の弾性力によりカム部材２８を消火設定位置から反時計方向に回動させ、図８の（イ）および図１３の（ハ）に示すように、カム部材２８が消火状態設定位置に回動されて、操作ピン２５をカム孔３４の消火用許容空間３４ｅ内に位置させ、強火側ストッパー面３４ｄにより、操作ピン２５が中火位置よりも強火側へ摺動するのを阻止し、火力調節レバー２７による強火側への操作を阻止させる。
【００５７】
その後、点火操作により、スライダ１１を消火位置Ａから点火用押し込み位置Ｄにまで押し込むに伴って、カム部材２８を消火状態設定位置から時計方向に回動させ、図８の（ロ）および図１３の（ニ）に示すように、カム部材２８を点火設定位置に回動して、ニードル２１および火力調節レバー２７を中火位置に操作した状態でバーナ６に点火する。
【００５８】
次に、前記弱火側について説明すると、図９の（イ）および図１４の（イ）に示すように、火力調節レバー２７により、ニードル２１および火力調節レバー２７が中火位置よりも弱火側の中火手前位置よりも弱火側に操作されているときに、消火操作により、スライダ１１を中間位置Ｂから消火用押し込み位置Ｃにまで押し込み移動させると、押圧部材４１が操作片３６を押圧操作し、カム部材２８を燃焼状態設定位置から時計方向に回動させて、図９の（ロ）および図１４の（ロ）に示すように、カム部材２８を消火設定位置に回動させる。
このカム部材２８の燃焼状態設定位置から消火設定位置への回動に伴って、弱火側押圧面３４ｂが器具栓本体２の後端側に位置する操作ピン２５を前端側に強制移動させ、操作ピン２５を中火手前位置にまで操作させて、ニードル２１を弱火側から中火手前位置にまで操作させるとともに、火力調節レバー１７も弱火側から中火手前位置にまで操作させる。
【００５９】
そして、消火操作が解除されると、スライダ１１の消火位置Ａへの復帰に伴って、コイルスプリング４０の弾性力によりカム部材２８を消火設定位置から反時計方向に回動させ、図１０の（イ）および図１４の（ハ）に示すように、カム部材２８が消火状態設定位置に回動されて、操作ピン２５をカム孔３４の消火用許容空間３４ｅ内に位置させ、強火側ストッパー面３４ｄにより、操作ピン２５が中火位置よりも強火側へ摺動するのを阻止し、火力調節レバー２７による強火側への操作を阻止させる。
【００６０】
その後、点火操作により、スライダ１１を消火位置Ａから点火用押し込み位置Ｄにまで押し込むに伴って、カム部材２８を消火状態設定位置から時計方向に回動させ、図１０の（ロ）および図１４の（ニ）に示すように、カム部材２８を点火設定位置に回動させる。
このカム部材２８の消火状態設定位置から点火設定位置への回動に伴って、弱火側押圧面３４ｂが器具栓本体２の後端側に位置する操作ピン２５を前端側に強制移動させ、操作ピン２５を中火位置にまで操作させて、ニードル２１を弱火側から中火位置にまで操作させるとともに、火力調節レバー１７も弱火側から中火位置にまで操作させ、ニードル２１および火力調節レバー２７を中火位置に操作した状態でバーナ６に点火する。
【００６１】
ちなみに、スライダ１１が消火位置Ａに位置する消火状態において、火力調節レバー２７が弱火側に回動されたときには、点火操作によるカム部材２８が消火状態設定位置から点火設定位置への回動に伴って、弱火側押圧面３４ｂが器具栓本体２の後端側に位置する操作ピン２５を前端側に強制移動させ、ニードル２１を弱火側から中火位置にまで操作させるとともに、火力調節レバー１７も弱火側から中火位置にまで操作させて、ニードル２１および火力調節レバー２７を中火位置に操作した状態でバーナ６に点火する。
【００６２】
このようにして、消火を行うときに、ニードル２１が中火位置と中火手前位置との間に火力が操作されているとき以外は、消火操作により、強火側から中火位置へニードル２１を操作させ、および、弱火側から中火手前位置へニードル２１を操作させることによって、消火操作の時点で、火力調節レバー２７を強火側から中火位置および弱火側から中火手前位置に操作させて、バーナ６に点火させるときにバーナ６の火力が点火に適した火力に調節されることを使用者に認識させることができ、点火を行うときには、点火操作により、ニードル２１を弱火側から中火位置にまで操作させるに伴って、火力調節レバー２７も弱火側から中火位置にまで操作させることによって、点火操作の時点に、バーナ６に点火させるときにバーナ６の火力が点火に適した火力に調節されることを使用者に再認識させることも可能となる。
したがって、結果的に、消火のときのみならず、点火のときにも、バーナに点火させるときにバーナの火力が点火に適した火力に調節されることを使用者に認識させることができる。
しかも、強火側については、消火のときにニードル２１および火力調節レバー２７を中火位置に予め操作しておき、消火状態において、中火位置よりも強火側への操作を阻止させ、弱火側については、点火のときにニードル２１および火力調節レバー２７を中火位置に操作することによって、点火の際にバーナ６の火力が強火側や弱火側で誤った点火が行われる不都合を適切に抑制することができる。
【００６３】
〔第２実施形態〕
この第２実施形態は、上記第１実施形態における弁体操作手段Ｔの別実施形態を示すものであり、以下、この第２実施形態について説明する。
なお、その他の構成については、上記第１実施形態と同様であるので、同符号を記すなどにより、その詳細な説明は省略する。
【００６４】
この第２実施形態では、図１５に示すように、第１実施形態におけるカム孔３４の形状と異なる形状のカム孔４１が形成されたカム部材４２を設けることにより、弁体操作手段Ｔが、点火操作によるスライダ１１の押し込み移動に連動して、ニードル２１を強火と弱火との間の中火位置側における点火許容範囲内に操作させ、スライダ１１が消火位置Ａに位置する消火状態において、ニードル２１を点火許容範囲内に保持させるように構成されている。
ちなみに、カム部材４２は、上記第１実施形態におけるカム部材２８とカム孔の形状が異なるだけで、その他の構成については、上記第１実施形態と同様であるので、その詳細な説明は省略する。
【００６５】
前記カム孔４１は、図１５に示すように、外周部の一部が外側に開口された円弧状に形成され、強火側押圧面４１ａ、弱火側押圧面４１ｂ、燃焼用許容空間４１ｃ、強火側ストッパー面４１ｄ、弱火側ストッパー面４１ｅ、消火用許容空間４１ｆを備えて構成されている。
前記強火側押圧面４１ａは、消火操作および点火操作において、ニードル２１が点火許容範囲よりも強火側にあるときに操作ピン２５に対して押圧操作するように構成され、弱火側押圧面４１ｂは、消火操作および点火操作において、ニードル２１が点火許容範囲よりも弱火側にあるときに操作ピン２５に対して押圧操作するように構成されている。
なお、強火側押圧面４１ａは、外側に開口された部分に隣接する位置に形成されて、外周部側の円弧状面に連なり外側に広がる湾曲状に構成され、その湾曲状の部分にて操作ピン２５を押圧作用するように構成されている。
前記燃焼用許容空間４１ｃは、スライダ１１を中間位置Ｂに保持している状態において、火力調節レバー２７によりニードル２１を最弱火位置から最強火位置まで操作可能となるように、操作ピン２５の器具栓本体の前後方向での摺動を許容するように構成されている。
前記消火用許容空間４１ｆは、操作ピン２５が点火許容範囲内で摺動可能で、かつ、強火側ストッパー面４１ｄおよび弱火側ストッパー面４１ｅにて操作ピン２５が点火許容範囲外に摺動するのを阻止することにより、スライダ１１を消火位置Ａに保持している状態において、ニードル２１を点火許容範囲内で操作可能となるように操作ピン２５の摺動を許容するように構成されている。
【００６６】
そして、強火側押圧面４１ａにおける操作ピン２５の押圧を完了する位置と弱火側押圧面４１ｂとが、カム部材４２の回動径方向において、点火許容範囲に相当する点火許容範囲相当間隔Ｑ１を隔てて形成され、強火側ストッパー面４１ｄと弱火側ストッパー面４１ｅも、カム部材４２の回動径方向において、点火許容範囲に相当する点火許容範囲相当間隔Ｑ１を隔てて形成され、消火用許容空間４１ｆが、点火許容範囲に相当する点火許容範囲相当間隔Ｑ１の空間となるように形成されている。
【００６７】
前記弁体操作手段Ｔについて説明を加えると、上記第１実施形態と同様に、押圧部４１、操作片３６、および、コイルスプリング４０などの協働作用により、図１７および図１８に示すように、カム部材４２を、燃焼状態設定位置→消火設定位置→消火状態設定位置→点火設定位置→燃焼設定位置に回動させることによって、カム孔４１に沿って操作ピン２５を操作させてニードル２１および火力調節レバー２７を操作させるようにしている。
ちなみに、図１７および図１８において、（イ）は燃焼状態設定位置、（ロ）は消火設定位置、（ハ）は消火状態設定位置、（ニ）は点火設定位置に、カム部材２８が回動された状態を示している。
【００６８】
以下、弁体操作手段Ｔによる動作について説明を加えるが、まず、図１６における白丸で示す強火側について説明し、次に、図１６における黒丸で示す弱火側について説明する。
ちなみに、図１６中斜面部分が、操作ピン２５の操作が阻止されている範囲を示している。
【００６９】
前記強火側について説明すると、図１７の（イ）に示すように、火力調節レバー２７により、ニードル２１および火力調節レバー２７が点火許容範囲よりも強火側に操作されているときに、消火操作により、カム部材４２を燃焼状態設定位置から時計方向に回動させて、図１７の（ロ）に示すように、カム部材４２を消火設定位置に回動させる。
このカム部材４２の燃焼状態設定位置から消火設定位置への回動に伴って、強火側押圧面４１ａが操作ピン２５を器具栓本体２の後端側に強制移動させ、操作ピン２５を点火許容範囲相当間隔Ｑ１内に移動させて、ニードル２１を強火側から点火許容範囲内に操作させるとともに、火力調節レバー１７も強火側から点火許容範囲に操作させる。
【００７０】
そして、消火操作が解除されると、図１７の（ハ）に示すように、カム部材４２が消火状態設定位置に回動されて、操作ピン２５をカム孔４１の消火用許容空間４１ｆ内に位置させ、操作ピン２５が点火許容範囲相当間隔Ｑ１外に摺動するのを阻止し、火力調節レバー２７による点火許容範囲外へのニードル２１の操作を阻止させる。
その後、点火操作により、スライダ１１を消火位置Ａから点火用押し込み位置Ｄにまで押し込むに伴って、図１７の（ニ）に示すように、カム部材４２を点火設定位置に回動して、ニードル２１および火力調節レバー２７を点火許容範囲内に操作した状態でバーナ６に点火する。
【００７１】
次に、前記弱火側について説明すると、図１８の（イ）に示すように、火力調節レバー２７により、ニードル２１および火力調節レバー２７が点火許容範囲よりも弱火側に操作されているときに、消火操作により、カム部材４２を燃焼状態設定位置から時計方向に回動させて、図１８の（ロ）に示すように、カム部材４２を消火設定位置に回動させる。
このカム部材４２の燃焼状態設定位置から消火設定位置への回動に伴って、弱火側押圧面４１ｂが操作ピン２５を器具栓本体２の前端側に強制移動させ、操作ピン２５を点火許容範囲相当間隔Ｑ１内に移動させて、ニードル２１を弱火側から点火許容範囲内に操作させるとともに、火力調節レバー１７も弱火側から点火許容範囲内に操作させる。
【００７２】
そして、消火操作が解除されると、図１８の（ハ）に示すように、カム部材４２が消火状態設定位置に回動されて、操作ピン２５をカム孔４１の消火用許容空間４１ｆ内に位置させ、操作ピン２５が点火許容範囲相当間隔Ｑ１外に摺動するのを阻止し、火力調節レバー２７による点火許容範囲外へのニードル２１の操作を阻止させる。
その後、点火操作により、スライダ１１を消火位置Ａから点火用押し込み位置Ｄにまで押し込むに伴って、図１８の（ニ）に示すように、カム部材４２を点火設定位置に回動して、ニードル２１および火力調節レバー２７を点火許容範囲内に操作した状態でバーナ６に点火する。
【００７３】
このようにして、ニードル２１が点火許容範囲よりも強火側にあっても、弱火側にあっても、弁体操作手段の作用により、消火操作の時点で、ニードル２１を点火に適した点火許容範囲内に操作させるに伴って、火力調節レバー２７も点火許容範囲内に操作させることによって、消火操作の時点で、バーナ６に点火させるときにバーナ６の火力が点火に適した火力に調節されることを使用者に認識させることができるものとなる。
しかも、消火操作によりニードル２１を点火許容範囲内に操作させた状態を維持して点火操作を行うことによって、バーナの火力を点火に適した点火許容範囲内に調節した状態でバーナに点火させることができるものとなる。
したがって、点火のときにバーナ６の火力が最大強火や最小強火など点火許容範囲外で誤った点火が行われるのを回避しながらも、消火操作の時点でのニードル２１および火力調節レバー２７の操作により、バーナ６に点火させるときにバーナ６の火力が点火に適した火力に調節されることを使用者に認識させることが可能となる。
【００７４】
また、強火側押圧面４１ａと弱火側押圧面４１ｂとが、カム部材４２の回動径方向において、点火許容範囲に相当する点火許容範囲相当間隔Ｑ１を隔てて形成されているので、点火操作により、カム部材４２が点火設定位置へ回動しても、操作ピン２５の位置は、点火操作前の消火状態の位置に維持される。
したがって、消火状態において、火力調節レバー２７にて点火許容範囲内でバーナの火力が調整されたときには、点火操作によりニードル２１および火力調節レバー２７を操作させず、消火状態において調整された火力にて点火することも可能となる。
【００７５】
〔第３実施形態〕
この第３実施形態は、上記第２実施形態における弁体操作手段Ｔの別実施形態を示すものであり、以下、この第３実施形態について説明する。
なお、その他の構成については、上記第２実施形態と同様であるので、その詳細な説明は省略する。
【００７６】
この第３実施形態では、図１９に示すように、第２実施形態におけるカム孔４１の形状と異なる形状のカム孔４１が形成されたカム部材４２を設けることにより、弁体操作手段Ｔが、消火状態において、火力調節レバー２７によりニードル２１の点火許容範囲外への操作を許容し、点火操作によるスライダ１１の押し込み移動に連動して、点火許容範囲外に操作されたニードル２１を点火許容範囲内に操作させるように構成されている。
【００７７】
前記カム孔４１は、図１９に示すように、上記第２実施形態と同様に、強火側押圧面４１ａ、弱火側押圧面４１ｂ、燃焼用許容空間４１ｃ、消火用許容空間４１ｆを備えて構成され、強火側ストッパー面４１ｄおよび弱火側ストッパー面４１ｅが形成されていない点で上記第２実施形態と異なる。
説明を加えると、この第３実施形態における消火用許容空間４１ｆは、スライダ１１を消火位置Ａに保持している状態において、火力調節レバー２７によりニードル２１を最弱火位置から最強火位置まで操作可能となるように、操作ピン２５の器具栓本体２の前後方向での摺動を許容するように構成されている。
【００７８】
以下、弁体操作手段Ｔによる動作について説明するが、消火操作が解除されて、スライダ１１が消火位置Ａに保持される消火状態における動作が上記第２実施形態と異なる動作となるので、この消火状態における動作を中心に説明を加える。
【００７９】
前記バーナ６が燃焼されている状態において、消火操作を行い、その消火操作が解除されると、カム部材４２が消火状態設定位置に回動されて、操作ピン２５をカム孔４１の消火用許容空間４１ｆ内に位置させ、操作ピン２５の器具栓本体２の前後方向での摺動をとくに規制せず、火力調節レバー２７によりニードル２１を最弱火位置から最強火位置まで操作可能となるように、操作ピン２５の器具栓本体２の前後方向での摺動を許容する。
【００８０】
そして、消火状態において、火力調節レバー２７によりニードル２１が最弱火位置や最強火位置など点火許容範囲外に操作されたときには、その後の点火操作により、スライダ１１を消火位置Ａから点火用押し込み位置Ｄにまで押し込むに伴って、カム部材４２を点火設定位置に回動するに伴って、強火側押圧面４１ａおよび弱火側押圧面４１ｂにより操作ピン２５を点火許容範囲相当間隔Ｑ１内に押圧操作して、ニードル２１を点火許容範囲内に操作させるとともに、火力調節レバー２７も点火許容範囲内に操作させる。
このようにして、消火状態において、火力調節レバー２７によりニードル２１が最弱火位置や最強火位置など点火許容範囲外に操作されても、点火操作によるスライダ１１の押し込み移動に連動して、点火許容範囲外に操作されたニードル２１および火力調節レバー２７を点火許容範囲内に操作させて、ニードル２１および火力調節レバー２７を点火許容範囲内に操作した状態でバーナ６に点火する。
【００８１】
〔別実施形態〕
（１）上記第１実施形態では、図１１において、カム部材２８の回動軸芯Ｐから強火側ストッパー面３４ｄまでの距離Ｄ２が、カム部材２８の回動軸芯Ｐから強火側押圧面３４ａにおける操作ピン２５の押圧を完了する位置までの距離Ｄ１と同じになるように構成されているが、この距離Ｄ２を距離Ｄ１よりも少し小さくなるように構成して実施することも可能である。
すなわち、カム部材２８の回動により、操作ピン２５を強火側ストッパー面３４ｄに案内する案内面を形成し、消火操作において、操作ピン２５を強火側ストッパー面３４ｄに案内したときに、操作ピン２５を中火位置よりも弱火側に強制移動させ、ニードル２１および火力調節レバー２７を中火位置よりも弱火側に操作させるように構成して実施することも可能である。
【００８２】
（２）上記第１実施形態では、図１１において、強火側押圧面３４ａに連なる外周部側の円弧状面を、カム部材２８の回動軸芯Ｐを中心とする円弧状として、カム部材２８の回動径方向において、カム部材２８の回動軸芯Ｐから円弧状面までの距離を、カム部材２８の回動軸芯Ｐから強火側押圧面３４ａにおける操作ピン２５の押圧を完了する位置までの距離Ｄ１と同じ距離になるようにしているが、カム部材２８の回動径方向において、カム部材２８の回動軸芯Ｐから円弧状面までの距離が、距離Ｄ１よりも大きくなるように構成して実施することも可能である。
【００８３】
（３）上記第１〜第３実施形態では、位置設定部材としてのカム部材２８，４２を器具栓本体２に対して回動可能に取り付けた例を示したが、器具栓本体２に対して摺動可能に取り付けて実施することも可能である。
【００８４】
（４）上記第１〜第３実施形態では、位置設定部材としてのカム部材２８，４２を火力調節レバー２７と同一軸芯周りに回動可能に取り付けた例を示したが、必ずしも同一軸芯周りに回動可能に取り付ける必要はなく、異なる軸芯周りに回動可能に取り付けて実施することも可能である。
【図面の簡単な説明】
【図１】ガス量調節装置の縦断側面図
【図２】ガス量調節装置の平面図
【図３】ガス量調節装置の要部の縦断面図
【図４】火力調節レバーと位置設定部材の分解斜視図
【図５】ガス量調節装置の要部の下面図
【図６】プッシュプッシュ機構におけるカム溝を示す図
【図７】第１実施形態におけるガス量調節装置の要部の平面図
【図８】第１実施形態におけるガス量調節装置の要部の平面図
【図９】第１実施形態におけるガス量調節装置の要部の平面図
【図１０】第１実施形態におけるガス量調節装置の要部の平面図
【図１１】第１実施形態における位置設定部材の平面図
【図１２】第１実施形態におけるスライダと操作ピンの位置関係を示す図
【図１３】第１実施形態における位置設定部材の作用を示す図
【図１４】第１実施形態における位置設定部材の作用を示す図
【図１５】第２実施形態における位置設定部材の平面図
【図１６】第２実施形態におけるスライダと操作ピンの位置関係を示す図
【図１７】第２実施形態における位置設定部材の作用を示す図
【図１８】第２実施形態における位置設定部材の作用を示す図
【図１９】第３実施形態における位置設定部材の平面図
【図２０】第３実施形態におけるスライダと操作ピンの位置関係を示す図
【符号の説明】
２　　　　　　　器具栓本体
６　　　　　　　バーナ
７　　　　　　　ガス流路
１１　　　　　　点火操作具
１３　　　　　　プッシュプッシュ機構
２１　　　　　　弁体
２７　　　　　　火力調節レバー
２８，４２　　　位置設定部材
Ｔ　　　　　　　弁体操作手段
【図１】
2004003688.tif 000003
【図２】
2004003688.tif 000004
【図３】
2004003688.tif 000005
【図４】
2004003688.tif 000006
【図５】
2004003688.tif 000007
【図６】
2004003688.tif 000008
【図７】
2004003688.tif 000009
【図８】
2004003688.tif 000010
【図９】
2004003688.tif 000011
【図１０】
2004003688.tif 000012
【図１１】
2004003688.tif 000013
【図１２】
2004003688.tif 000014
【図１３】
2004003688.tif 000015
【図１４】
2004003688.tif 000016
【図１５】
2004003688.tif 000017
【図１６】
2004003688.tif 000018
【図１７】
2004003688.tif 000019
【図１８】
2004003688.tif 000020
【図１９】
2004003688.tif 000021
【図２０】
2004003688.tif 000022